(57)【要約】【課題】本発明は患部を持続的に冷やして炎症を鎮めることが期待出来るものとなると共に夏場に於いては、汗を吸収してアセモや発疹などの痒み等を抑え且つ心地良く冷やすことができ、且つ、任意に切断して使用しても簡単に患部の肌へ固定出来る接触冷感包帯を提供することを目的とする。【解決手段】少なくとも包帯本体１を、吸湿性と吸汗性及び速乾性を少なくとも有した布地で作られたものと成す。また包帯本体１に、放湿性を更に加えた布地が用いられると良い。又、包帯本体１が弾性を有した布地で作られると良く、更に包帯本体１の裏面の長手方向に、粘着部２を筋状に設け、或いは包帯本体１の表裏面に、係止可能な凹凸部を形成させたものとするのが良い。【選択図】図２
2013240400.tif 000002
【特許請求の範囲】
【請求項１】
少なくとも包帯本体（１）が、吸湿性と吸汗性及び速乾性を少なくとも有した布地であることを特徴とする接触冷感包帯。
【請求項２】
前記包帯本体（１）に、放湿性が更に加えられた布地である請求項１記載の接触冷感包帯。
【請求項３】
前記包帯本体（１）が、弾性を有した布地である請求項１又は２記載の接触冷感包帯。
【請求項４】
前記包帯本体（１）の裏面の長手方向に、粘着部（２）が筋状に設けられた請求項１、２又は３記載の接触冷感包帯。
【請求項５】
前記包帯本体（１）の表裏面に、係止可能な凹凸部（３）が形成された請求項１、２又は３記載の接触冷感包帯。
【発明の詳細な説明】
【技術分野】
【０００１】
本発明は汗が溜まらず且つ肌がサラサラ乾いた状態を維持させると共に患部を冷やすための接触冷感包帯に関する。
【背景技術】
【０００２】
一般に包帯は、損傷の手当て，火傷の手当て，手術後の手当て等で使用される。又、傷や腫物などの患部の状態に応じて温める場合や冷やす場合もあった。患部を冷やす際には保冷剤や氷或いはアイスバックなどを用いる場合が多く、一方、患部を温める際には、ベンゼンやアルコールなどの燃料を燃焼させるカイロのようなもの、或いは酸化可能な金属パウダーと活性化炭素パウダーの混合物を袋に詰めたものなどが使用されている。
【０００３】
しかしながら、患部を冷やすもの及び温めるものは、持続時間が短く、いつまでもその状態を保持することは困難であった。特に患部を冷やす場合には、上記のものを使用すると、温度が低くなり過ぎて凍傷を起こし易くなるため、その表面に布を巻いて温度が低くなり過ぎないように調整する必要があると共に持続時間が短いため、１日に何回も新たなものを用意して所定時間毎に交換しなければならず面倒であった。
【０００４】
このため、簡単に患部を冷やすことが出来る商品の開発が要望されていた。
【０００５】
尚、包帯に吸湿性を持たせた包帯としては、特願２００９ー１７８３５３や特願２００５ー８０９６０などで提案されている。この特願２００９ー１７８３５３「患部乾燥用の包帯」は、高分子吸汗性ポリマー等の吸汗性の特性を有する高分子化合物を、低反発性ポリウレタン等の低反発性の特性を有する合成樹脂に配合したものである。この目的は、水虫等の皮膚疾患部を長時間乾燥させることが可能とする包帯であり、又、一日中、且つ、歩行や駆け足等の活発な活動によっても足指の乾燥すべき患部から包帯が外れたり破れたりすることがないようにして、且つ、その包帯が患部やその他の皮膚に当っても痛いことがないようにして、患部の乾燥状態を効果的に快適に保つためのものであった。従って、特願２００９ー１７８３５３は、本願のように患部を冷やして炎症を鎮め、或いは接触冷感を得る目的のものではなく、且つ、そのような発想もないものである。
【０００６】
又、特願２００５ー８０９６０「伸縮性包帯」は、少なくとも一層としてポリトリメチレンテレフタレートを主成分とする層を含むサイドバイサイド型複合又は偏心シースコア型複合の顕在捲縮性ポリエステル系複合繊維とセルロース系紡績糸とが交織又は交編されて成るものである。この目的は、包帯製造時の品質及び品位の不良発生を防止するための生産管理の省力化を図り、また包帯製品の使用時や保管時の状態に由来する伸縮性能劣化の問題を解決するためのものであった。従って、特願２００５ー８０９６０は、本願のように患部を冷やして炎症を鎮め、或いは接触冷感を得る目的のものではなく、且つ、そのような発想もないものである。
【先行技術文献】
【特許文献】
【０００７】
【特許文献１】特願２００９ー１７８３５３公報
【特許文献２】特願２００５ー８０９６０公報
【発明の概要】
【発明が解決しようとする課題】
【０００８】
本発明は患部を持続的に冷やして炎症を鎮めると共に夏場に於いては、汗を吸収してアセモや発疹などの痒み等を抑え且つ心地良く冷やすことが可能となる接触冷感包帯を提供することを目的とする。
【０００９】
本発明の他の目的は、任意に切断して使用しても簡単に患部の肌へ固定出来る接触冷感包帯を提供するにある。
【課題を解決するための手段】
【００１０】
本発明は上記現状に鑑みて成されたものであり、つまり、少なくとも包帯本体を、吸湿性と吸汗性及び速乾性を少なくとも有した布地で作られたものと成す。また前記包帯本体に、放湿性を加えた布地が用いられると良く、又、包帯本体が、弾性を有した布地で作られると良い。更に包帯本体の裏面の長手方向に、粘着部を筋状に設け、或いは包帯本体の表裏面に、係止可能な凹凸部を形成させたものとするのが良い。尚、本発明で言う「包帯本体の表面」及び「包帯本体の裏面」とは、長尺な包帯本体を巻回して商品にした際の表面と裏面を指すものとする。又、本発明で言う「包帯」には、長尺な帯状のもの以外に、四角形状のガーゼも含むものとする。
【発明の効果】
【００１１】
請求項１のように少なくとも包帯本体（１）が、吸湿性と吸汗性及び速乾性を少なくとも有した布地と成すことにより、包帯本体（１）を患部へ当てると、患部表面から発散する湿気や流れ出る汗を包帯本体（１）が吸収し、素早く湿気や汗を外部へ拡散して放出されるため、患部表面をサラサラ状態にすると共に拡散時に周囲から熱を奪い患部が冷やされる結果となる。従って、本発明は患部を持続的に冷やして炎症を鎮めると共に夏場に於いては、汗を吸収してアセモや発疹などの痒み等を抑え且つ心地良く冷やすことが可能となる。更に従来の冷却物の如く凍傷を起こす心配は全くなく、患部をいつまでも乾燥させ且つ適宜に冷やすことが可能となるため、従来の冷湿布が施されていた症状、例えば、捻挫，打ち身，打撲，腫れ，筋肉や関節の炎症，腱鞘炎，痒み等を鎮める役目の援助が可能なものとなる。
【００１２】
請求項２のように包帯本体（１）に、放湿性を加えた布地が用いられることにより、請求項１よりも高通気性が発揮されるものとなるので、患部の炎症がより有効に鎮められると共に夏場に於いては、大半の汗を吸収し、いつも肌がサラサラ状態に維持出来ると共に心地良く冷やすことが可能なものとなる。
【００１３】
請求項３に示すように包帯本体（１）が、弾性を有した布地でつくられることにより、包帯本体（１）が患部に密着して接触されるため、患部を安定して冷やすことが出来るものとなり、従来の冷湿布が施されていた各種の症状に対して、鎮痛する役目の援助が、より有効なものとなる。しかも包帯本体（１）のずれが殆んどないものとなる。
【００１４】
請求項４に示すように包帯本体（１）の裏面の長手方向に、粘着部（２）を筋状に設けることにより、従来の如き包帯本体（１）の端部同志をしばる必要がなくなると共に固定具などを用いて固定する必要もなくなるため、包帯本体（１）を任意に切断して使用しても簡単に患部へ固定出来るものとなる。
【００１５】
請求項５のように包帯本体（１）の表裏面に、係止可能な凹凸部（３）を形成させることにより、包帯本体（１）同志を重ねて押圧するだけで、簡単に患部へ固定出来るものとなるため、包帯本体（１）の端部同志を結ぶ従来の如き作業は不要なものとなる。
【図面の簡単な説明】
【００１６】
【図１】本発明の実施形態の断面を示す説明図である。
【図２】本実施形態の粘着部の断面を示す説明図である。
【図３】本発明の別実施形態の凹凸部の断面を示す説明図である。
【発明を実施するための形態】
【００１７】
本発明の実施形態を図１に基づいて説明する。（１)は患部を巻き付けて覆うための接触冷感包帯本体であり、該包帯本体（１）は、吸湿性と吸汗性及び速乾性を少なくとも有した布地で作られている。この時の包帯本体（１）の吸湿性は、気体の汗を吸う性質で主に繊維の化学的な組成で決まり、包帯本体（１）の速乾性は、合成繊維を改質して吸湿性や吸汗性を高め、吸収した汗は素早く放出されて速乾性を有するものとなる。また包帯本体（１）の吸汗性は、液体の汗を吸う性質で繊維の単位質量当りの表面積を大きくすると向上し、且つ、その毛細管現象で吸水性（吸汗性）が向上するものとなる。尚、本発明で言う「吸汗性」は吸水性と略同じ意味で用いるものとする。前記包帯本体（１）は、触った時に冷やっとする接触冷感を有する。この素材は繊維中に水分を多く含むことができ、熱伝導率が高いものである。このように肌に触れて涼しく感じる素材としては、例えば、クラレの「ソフィスタ」の素材を包帯本体（１）に用いると良い。尚、本発明で言う「接触冷感」を得るには、湿気や汗を吸収し且つそれを素早く発散して放出する際に生じる気化熱による冷却と、湿気や汗を吸収すると熱が吸収される性質を備えた布地による冷却と、その両方による冷却とがある。
【００１８】
又、前記包帯本体（１）として、放湿性を更に加えた布地で作ると良い。この時の包帯本体（１）の吸湿性，吸汗性，放湿性，速乾性を有する布地の素材として、例えば、ユニチカの「ハイグラＬＵ」を使用するのが好ましい。また包帯本体（１）は、吸湿性や放湿性を向上させた改質ナイロンと、吸汗性を向上させた異形断面形状ポリエステルとを混用した素材の布地とすると良く、更に包帯本体（１）に高通気性を有した布地素材として、吸汗性と速乾性のある異形断面形状ポリエステル繊維と、表面に凹凸を作り通気性が高められる工夫をした綿繊維とを用いた布地が用いられても良い。この布地としては、例えば、東レの「風通るシャツ」と同一の布地を用いると良い。尚、涼しく感じる素材としては、通気性、吸汗性、軽量性を備えた布地、例えば、帝人・日清紡績の「エコシス２８℃」を用いても良い。又、接触冷感包帯を涼感の素材として、吸汗吸熱性や吸汗速乾性を備えた布地、例えば、ダイワボウの「クールドライ（登録商標）」を用いた布地を使用しても良い。
【００１９】
図２は本実施形態の粘着部の幅方向の断面を示す図であり、この図に基づいて説明する。これは図１の実施形態に比べ、包帯本体（１）の裏面の長手方向に、粘着部（２）が筋状に設けられており、該粘着部（２）は包帯本体（１）を任意に切断して使用しても簡単に患部へ固定出来るものとなる。また前記粘着部（２）は肌に触れても発疹や炎症を起こさない包帯で用いられているものと同様の材料を用いれば良い。この粘着部（２）は、図２に示す如く幅方向の両端部に細めに設け、包帯本体（１）の幅が広い場合には幅方向の両端部以外に中央或いは適宜間隔で細めに設け、３本以上の筋形状を設けたものとしても良い。前記粘着部（２）は、筋幅を狭くして、包帯本体（１）の通気性を確保させるのが好ましい。他は同一である。
【００２０】
図３は本発明の別実施形態の凹凸部の断面を示す説明図であり、この図に基づいて説明する。これは図１の実施形態に比べ、包帯本体（１）の表裏面に、係止可能な凹凸部（３）が形成されたものである。この凹凸部（３）は、吸湿性と吸汗性及び速乾性を少なくとも有した布地として織り込む際に一緒に形成されるものとするのが好ましい。この凹凸部（３）が形成された布地としては、例えば、販売元住友スリーエム株式会社の自着性伸縮包帯（ライトブラウン）や、ニチバン株式会社製の自着性伸縮包帯と同様な凹凸が形成されて係止可能に織り込まれた布地を用いるのが好ましい。この布地は包帯本体（１）同志を重ねて押圧すると、係止して固定出来るものであれば良い。他は同一である。尚、前記凹凸部（３）は表面同志及び表面と裏面とでも係止可能なものを用いるのが好ましい。
【００２１】
次に本発明の作用について説明する。先ず始めに図１に示す断面を有する接触冷感包帯を、従来の包帯と同様に患部へ巻き付ける。すると接触冷感包帯の布地に弾性があれば、患部に密着し、その部位の肌の湿気や汗を吸収し、それを発散・放出させる際に気化熱として、患部及びその周囲の熱が奪われて冷やされるため、患部はサラサラ状態に乾燥すると共にいつまでも気持ち良く冷やされることが可能となり、且つ、包帯本体（１）を肌に長時間当てても凍傷を起こす恐れがなくなる。従って、本発明は、従来の冷湿布が施されていた症状、例えば、捻挫，打ち身，打撲，腫れ，筋肉や関節の炎症，腱鞘炎，痒み等を鎮める役目の援助が可能なものとなる。又、包帯本体（１）をテーピングすることが出来ると共に包帯本体（１）を患部以外の部位、例えば、肩や膝或いは手足などに巻き付けることにより、各部位が冷やされるため、夏場に於いては、汗を吸収してアセモや発疹などの痒み等を抑え且つ心地良く冷やすことが可能なものとなる。尚、前記包帯本体（１）を四角形状に切断してガーゼとして使用しても良い。このガーゼを部位に当てて固定すれば、上記同様に患部が冷やされると共にいつまでも気持ちの良い温度で冷やされた状態を維持することが可能となる。又、前記包帯本体（１）に吸汗吸熱性と速乾性を有した材料が用いられたものは、湿気や汗を吸収して患部の熱が直接に吸収されると共に速乾性による気化熱によっても患部が更に冷やされるものとなるため、より有効に冷やすことが可能なものとなる。
【００２２】
次に図２に示す断面を有する接触冷感包帯の作用について説明する。上記同様に先ず始めに患部へ巻き付ける。この時、包帯本体（１）を患部に巻き付ける際に、その包帯本体（１）の端部同志を結ばずに、端部同志を接触或いは重ねるだけで、包帯本体（１）は患部を覆って固定される。更に前記患部へ巻き付けずに、患部を覆うだけで、包帯本体（１）の粘着部（２）が肌に貼り付いて固定されるものとなるため、包帯本体（１）の固定が極めて簡単なものとなる。
【００２３】
更に図３に示す断面を有する接触冷感包帯の作用について説明する。上記同様に先ず始めに患部へ巻き付ける。この時、包帯本体（１）を患部に巻き付ける際に、その包帯本体（１）の端部同志を結ばずに、端部を包帯本体（１）に重ねて押圧するだけで、面ファスナーの如く包帯本体（１）は患部を覆って固定されるものとなる。このため、図２の包帯本体（１）の固定と同様に極めて簡単なものとなるのである。
【符号の説明】
【００２４】
１  包帯本体
２  粘着部
３  凹凸部
【図１】
2013240400.tif 000003
【図２】
2013240400.tif 000004
【図３】
2013240400.tif 000005